(57)【要約】【課題】短時間でナットを螺出入してボルトの所定位置に取り付けできる実用性に秀れたナット取付技術を提供するものである。【解決手段】ボルト１にナット２を取り付ける方法であって、ボルト１に螺合したナット２の外周面に作動体１０を当接せしめ、ボルト１の回転を阻止した状態で該作動体１０をナット２の回転可能方向に移動することで該ナット２を螺出入せしめてボルト１の所定位置に取り付けるものである。【選択図】　　　　図４
2004136425.tif 000002
【特許請求の範囲】
【請求項１】
ボルトにナットを取り付ける方法であって、ボルトに螺合したナットの外周面に作動体を当接せしめ、ボルトの回転を阻止した状態で該作動体をナットの回転可能方向に移動することで該ナットを螺出入せしめてボルトの所定位置に取り付けることを特徴とするナットの取付方法。
【請求項２】
請求項１記載のナットの取付方法において、複数本のボルトを並列状態で並べ、夫々のボルトに螺合したナットの外周面に作動体を当接せしめ、夫々のボルトの回転を阻止した状態で該作動体をナットの回転可能方向に移動することで該夫々のナットを螺出入せしめて該夫々のボルトの所定位置に取り付けることを特徴とするナットの取付方法。
【請求項３】
請求項１，２いずれか１項に記載のナットの取付方法において、作動体のナットに当接せしめられる当接面は、ゴム状の弾性部材により構成されていることを特徴とするナットの取付方法。
【請求項４】
請求項１〜３いずれか１項に記載のナットの取付方法において、作動体にしてナットに押し付けられる当接面は、長さ１乃至２００ｃｍ、巾１乃至１００ｃｍに設定されていることを特徴とするナットの取付方法。
【請求項５】
請求項１〜３いずれか１項に記載のナットの取付方法において、作動体にしてナットに押し付けられる当接面は、長さ１０乃至５０ｃｍ、巾５乃至３０ｃｍに設定されていることを特徴とするナットの取付方法。
【請求項６】
請求項１〜５いずれか１項に記載のナットの取付方法において、作動体には該作動体を移動操作する為の移動操作部が設けられていることを特徴とするナットの取付方法。
【請求項７】
請求項６記載のナットの取付方法において、移動操作部は把持可能な形状に構成されていることを特徴とするナットの取付方法。
【請求項８】
ボルトにナットを取り付ける際に使用するナット取付具であって、把持部を有し、ボルトに螺合したナットの外周面に当接せしめられる当接面が形成され、前記把持部を把持して前記当接面をナットの外周面に押し付けた状態で該ナットの回転方向に移動するように構成されていることを特徴とするナット取付具。
【請求項９】
請求項８記載のナット取付具において、当接面はゴム状の弾性部材により構成されていることを特徴とするナット取付具。
【請求項１０】
請求項８，９いずれか１項に記載のナット取付具において、ナットに当接せしめられる当接面は、長さ１０乃至５０ｃｍ、巾５乃至３０ｃｍに設定されていることを特徴とするナットの取付具。
【請求項１１】
ボルトにナットを取り付ける際に使用するナット取付装置であって、複数のボルトを並列状態で載置する載置部と、この載置部に載置したボルトの回転を阻止する回転阻止部と、該ボルトの所定位置に螺合したナットを回転せしめる回転操作体とから成り、載置部は、ボルトの端部を支承する構成で、且つ、該載置部は、複数のボルトを所定間隔を置いて載置するように構成されており、また、回転阻止部は、ボルトの端部を挟持固定することにより該ボルトの回転を阻止するように構成されており、また、回転操作体は、ナットの外周面に当接せしめられる当接面が設けられた作動体と、ナットの回転方向に移動させる際に把持する把持部とを有し、該把持部を把持して回転操作体をナットの回転方向に移動させることで該ナットをボルトに対して螺出入せしめる構成であることを特徴とするナット取付装置。
【請求項１２】
請求項１１記載のナット取付装置において、載置部に載置された複数のボルトは夫々所定位置までナットが螺合されたものであり、これらボルトは夫々が並列状態且つ所定間隔にして回転阻止部によって該夫々のボルトの回転が阻止された状態で配設されていることを特徴とするナット取付装置。
【請求項１３】
請求項１１，１２いずれか１項に記載のナット取付装置において、載置部には、ボルトが載置されるボルト受溝が所定間隔を置いて並設されていることを特徴とするナット取付装置。
【請求項１４】
請求項１３記載のナット取付装置において、載置部はゴム状の弾性部材により形成され、このゴム状の弾性部材の上面にボルト受溝が所定間隔を置いて並設されていることを特徴とするナット取付装置。
【請求項１５】
請求項１１〜１４いずれか１項に記載のナット取付装置において、載置部はボルトの両端部を下方から二本の支持体で夫々支持するように構成されており、この二本の支持体の間隔を調整する調整機構が設けられていることを特徴とするナット取付装置。
【請求項１６】
請求項１１〜１５いずれか１項に記載のナット取付装置において、載置部に載置された複数のボルトの端部を揃える端部揃え機構が設けられていることを特徴とするナット取付装置。
【発明の詳細な説明】
【０００１】
【発明の属する技術分野】
本発明は、ボルトにナットを取り付ける技術に関するものである。
【０００２】
【従来の技術及び発明が解決しようとする課題】
建物の天井部分を形成する際、図１に図示したような吊りボルト１が使用されている。
【０００３】
この吊りボルト１は、上部は天井の下地のコンクリート部分５に挿入固着され、下部にはナット２が螺合される雄ネジ部３が設けられた構成である。この雄ネジ部３には、例えば、二個のナット２が螺合され、この二個のナット２間にしてボルト１にはハンガー４と呼ばれる引掛材が配設され、該ハンガー４は二個のナット２により挟持される。このハンガー４には、野縁受け６と呼ばれる天井構成部材（チャンネルとも呼ばれる）が支持され、この野縁受け６に野縁７が固定される（尚、本実施例と同一構成部分には同一符号を付した。）。
【０００４】
ところで、この吊りボルト１に対するナット２の取付作業（螺出入作業）は、従来は全て手作業により行われている。しかし、吊りボルト１は長さ数十センチメートルのものから数メールに達するものまでがあり、該ナット２の取付作業は非常に厄介である。
【０００５】
更に、吊りボルト１は一度に多数が使用される。この多数の吊りボルト１に二個のナット２を夫々手で取り付ける作業は、非常に時間が掛かり、効率が悪い。
【０００６】
本発明は、上記問題点を解決するもので、短時間でナットを螺出入してボルトの所定位置に取り付けできる実用性に秀れたナット取付技術を提供するものである。
【０００７】
【課題を解決するための手段】
添付図面を参照して本発明の要旨を説明する。
【０００８】
ボルト１にナット２を取り付ける方法であって、ボルト１に螺合したナット２の外周面に作動体１０を当接せしめ、ボルト１の回転を阻止した状態で該作動体１０をナット２の回転可能方向に移動することで該ナット２を螺出入せしめてボルト１の所定位置に取り付けることを特徴とするナットの取付方法に係るものである。
【０００９】
また、請求項１記載のナットの取付方法において、複数本のボルト１を並列状態で並べ、夫々のボルト１に螺合したナット２の外周面に作動体１０を当接せしめ、夫々のボルト１の回転を阻止した状態で該作動体１０をナット２の回転可能方向に移動することで該夫々のナット２を螺出入せしめて該夫々のボルト１の所定位置に取り付けることを特徴とするナットの取付方法に係るものである。
【００１０】
また、請求項１，２いずれか１項に記載のナットの取付方法において、作動体１０のナット２に当接せしめられる当接面は、ゴム状の弾性部材１１により構成されていることを特徴とするナットの取付方法に係るものである。
【００１１】
また、請求項１〜３いずれか１項に記載のナットの取付方法において、作動体１０にしてナット２に押し付けられる当接面は、長さ１乃至２００ｃｍ、巾１乃至１００ｃｍに設定されていることを特徴とするナットの取付方法に係るものである。
【００１２】
また、請求項１〜３いずれか１項に記載のナットの取付方法において、作動体１０にしてナット２に押し付けられる当接面は、長さ１０乃至５０ｃｍ、巾５乃至３０ｃｍに設定されていることを特徴とするナットの取付方法に係るものである。
【００１３】
また、請求項１〜５いずれか１項に記載のナットの取付方法において、作動体１０には該作動体１０を移動操作する為の移動操作部１２が設けられていることを特徴とするナットの取付方法に係るものである。
【００１４】
また、請求項６記載のナットの取付方法において、移動操作部１２は把持可能な形状に構成されていることを特徴とするナットの取付方法に係るものである。
【００１５】
また、ボルト１にナット２を取り付ける際に使用するナット取付具であって、把持部１２を有し、ボルト１に螺合したナット２の外周面に当接せしめられる当接面が形成され、前記把持部１２を把持して前記当接面をナット２の外周面に押し付けた状態で該ナット２の回転方向に移動するように構成されていることを特徴とするナット取付具に係るものである。
【００１６】
また、請求項８記載のナット取付具において、当接面はゴム状の弾性部材１１により構成されていることを特徴とするナット取付具に係るものである。
【００１７】
また、請求項８，９いずれか１項に記載のナット取付具において、ナット２に当接せしめられる当接面は、長さ１０乃至５０ｃｍ、巾５乃至３０ｃｍに設定されていることを特徴とするナットの取付具に係るものである。
【００１８】
また、ボルト１にナット２を取り付ける際に使用するナット取付装置であって、複数のボルト１を並列状態で載置する載置部２１と、この載置部２１に載置したボルト１の回転を阻止する回転阻止部２２と、該ボルト１の所定位置に螺合したナット２を回転せしめる回転操作体１３とから成り、載置部２１は、ボルト１の端部を支承する構成で、且つ、該載置部２１は、複数のボルト１を所定間隔を置いて載置するように構成されており、また、回転阻止部２２は、ボルト１の端部を挟持固定することにより該ボルト１の回転を阻止するように構成されており、また、回転操作体１３は、ナット２の外周面に当接せしめられる当接面が設けられた作動体１０と、ナット２の回転方向に移動させる際に把持する把持部１２とを有し、該把持部１２を把持して回転操作体１３をナット２の回転方向に移動させることで該ナット２をボルト１に対して螺出入せしめる構成であることを特徴とするナット取付装置に係るものである。
【００１９】
また、請求項１１記載のナット取付装置において、載置部２１に載置された複数のボルト１は夫々所定位置までナット２が螺合されたものであり、これらボルト１は夫々が並列状態且つ所定間隔にして回転阻止部２２によって該夫々のボルト１の回転が阻止された状態で配設されていることを特徴とするナット取付装置に係るものである。
【００２０】
また、請求項１１，１２いずれか１項に記載のナット取付装置において、載置部２１には、ボルト１が載置されるボルト受溝２４ａ・２４ｂが所定間隔を置いて並設されていることを特徴とするナット取付装置に係るものである。
【００２１】
また、請求項１３記載のナット取付装置において、載置部２１はゴム状の弾性部材により形成され、このゴム状の弾性部材の上面にボルト受溝２４ａ・２４ｂが所定間隔を置いて並設されていることを特徴とするナット取付装置に係るものである。
【００２２】
また、請求項１１〜１４いずれか１項に記載のナット取付装置において、載置部２１はボルト１の両端部を下方から二本の支持体２３ａ・２３ｂで夫々支持するように構成されており、この二本の支持体２３ａ・２３ｂの間隔を調整する調整機構が設けられていることを特徴とするナット取付装置に係るものである。
【００２３】
また、請求項１１〜１５いずれか１項に記載のナット取付装置において、載置部２１に載置された複数のボルト１の端部を揃える端部揃え機構が設けられていることを特徴とするナット取付装置に係るものである。
【００２４】
【発明の作用及び効果】
手作業等でボルト１の端部から所定の距離までナット２を螺合し、続いて、該ナット２の外周面に作動体１０を当接せしめ、ボルト１の回転を阻止した状態で該作動体１０を該ナット２の回転可能方向に移動すると、この作動体１０の移動と共にナット２が回転し、ボルト１に対して螺出入することになる。
【００２５】
この作動体１０の移動（ナット２の螺出入）を適宜回数繰り返して該ナット２をボルト１の所定位置まで移動させ、該位置にナット２を取り付ける。
【００２６】
このように、本発明によれば、作動体１０を移動するだけでナット２を螺出入させることができる為、従来の手でナット２を回転（螺出入）させる方法に比し、所定位置にナット２を効率良く且つ迅速に取り付けることができる。
【００２７】
【発明の実施の形態】
図面は本発明の一実施例を図示したものであり、以下に説明する。
【００２８】
本実施例は、ナット取付装置２０を用い、長さが１ｍを越える複数のボルト１、（例えば、吊りボルト）に夫々ナット２を取り付けるものである。
【００２９】
ナット２は、六角ナットや四角ナット等、いずれでも良い。
【００３０】
ナット取付装置２０の構成について説明する。
【００３１】
ナット取付装置２０は、複数のボルト１を水平状態且つ並列状態で載置する載置部２１と、この載置部２１に載置したボルト１の回転を阻止する回転阻止部２２と、該ボルト１の所定位置に螺合したナット２を回転せしめる回転操作体１３とから成る構成である。
【００３２】
載置部２１は、ボルト１の並設方向に延設され該ボルト１の両端部（吊りボルトの場合、上端部及び下端部）を下方から夫々支持する前後二本の支持体２３ａ・２３ｂによって構成されている。
【００３３】
夫々の支持体２３ａ・２３ｂの上面には、所定間隔を置いて多数のボルト受溝２４ａ・２４ｂが形成されている。
【００３４】
このボルト受溝２４ａ・２４ｂは、半円弧状で、ボルト１の下部及び側部周面が当接できるような深さ及び形状に構成されている。また、例えば、ボルト受溝２４ａ・２４ｂの形状をＶ溝としてボルト１が挟持固定するようにしても良い。
【００３５】
また、支持体２３ａ・２３ｂの上面にゴム状の弾性部材（例えば、シリコンゴム）を積層し、この弾性部材にボルト受溝２４ａ・２４ｂを形成することで前記ボルト受溝２４ａ・２４ｂの摩擦抵抗を高める構成にすると良い。
【００３６】
夫々の支持体２３ａ・２３ｂは、支持脚２５ａ・２５ｂ（この支持脚は、一本の支持体につき二本づつ設けられている。）によって所定高さに夫々支持されている。
【００３７】
前後の支持脚２５ａ・２５ｂは、伸縮機能付の左右の連結杆２６によって夫々連結されている。従って、この連結杆２６の伸縮により、支持脚２５ａ・２５ｂ上の支持体２３ａ・２３ｂ間の距離を可変して載置するボルト１の長さに対応できることになる（請求項でいう調整機構）。
【００３８】
図中、符号２７は、左右の連結杆２６を連結して該左右の連結杆２６の距離を保持する連結保持杆である。
【００３９】
後端側の支持体２３ｂの端部には、該支持体２３ｂのボルト受溝２４ｂに支持されたボルト１を上方から押圧して該ボルト１を該支持体２３ｂとで挟持する挟持体２８が連設されている。
【００４０】
この挟持体２８は、長尺で、一端部が前記後端側の支持体２３ｂの一端部に枢着され、上下擺動自在に構成されている。
【００４１】
また、挟持体２８の他端部には連結部２９（図面はリング体）が設けられ、基台３２の他端部には被連結部３０（図面は突出ピン）が設けられ、この連結部２９と被連結部３０との連結により、挟持体２８と支持体２３ｂとによるボルト１の挟持状態を維持するように構成されている。
【００４２】
また、挟持体２８にしてボルト１を押圧する側の部位には、ゴム状の摩擦部材３１（例えば、ゴムシート）が積層状態で設けられている。この摩擦部材３１との当接により、ボルト１の回転は強固に阻止される。
【００４３】
尚、図中符号３３は、挟持体２８を擺動作動する為の擺動操作杆である。
【００４４】
また、前記後端側の支持体２３ｂの左右部には後方へ延びる延設台部３５ａ・３５ｂが夫々設けられている。そして、この延設台部３５ａ・３５ｂには、載置部２１に載置されたボルト１の後端縁に当接して該ボルト１の端部の位置を揃える端部揃え機構が設けられている。
【００４５】
この端部揃え機構は、長尺の端部揃え体３４の一端部が前記一方の延設台部３５ａに枢着され、水平擺動自在とされた構成である。また、他方の延設台部３５ｂには、乗越部３６が設けられ、前記端部揃え体３４を水平擺動せしめて該端部揃え体３４の他端部が該乗越部３６を乗り越えた位置、該端部揃え体３４がボルト１の延設方向と直交する状態で係止されるように構成されている。従って、端部揃え体３４を水平擺動して乗越部３６を乗り越えた位置で係止されると、該端部揃え体３４は複数のボルト１の延設方向と直交する状態となり、該複数のボルト１の端部の位置を揃えることができる。
【００４６】
回転操作体１３は、板状の作動体１０の上部に把持部１２（請求項６でいう移動操作部）が設けられた構成である。
【００４７】
また、作動体１０にしてボルト１の外周面に押し付けられる当接面の全面にはゴム状の弾性部材１１（例えば、ゴムシート）が設けられている。
【００４８】
この弾性部材１１の弾性は、ナット２がめり込める程度に設定されている。
【００４９】
この弾性部材１１の厚さは、ナット２が回転する際に把持部１２に作用する衝撃を緩和する為、ナット２として例えば六角ナット２を回転せしめる際、ボルト１の中心から外周面までの最大距離と最小距離の差以上に設定されている。これにより、例えば、六角ナット２が回転する際の凹凸感は弾性部材１１によって吸収され、該六角ナット２の回転は良好となる。
【００５０】
また、この弾性部材１１は、着脱ピン１４によって作動体１０に着脱自在に設けられている。これにより、弾性部材１１が劣化した際の取り替えが可能となる。
【００５１】
作動体１０の当接面は、例えば、長さ（ナット２を回転させる方向に対する長さ）１乃至２００ｃｍ、巾（ナット２を回転させる方向に対する巾）１乃至１００ｃｍに設定される。
【００５２】
長さの最小値は、ナット２の平均的な直径が１ｃｍであり、このナット２を少なくとも１／４回転以上回転させられる長さとしたものである。長さの最大値は、１６本のボルト１を１０ｃｍ間隔で並設し、更に、並設されたボルト１の左右に２５ｃｍずつの余裕を持たせた長さ（この余裕分により全てのナット２を良好に回転して螺出入させることができる。）としたものである。
【００５３】
巾の最小値は、ナット２の平均的な巾が１ｃｍであり、このナット２の外周面と作動体１０の当接面との当接を最低限度良好に保てる巾としたものである。巾の最大値は、回転するナット２のボルト１に対する最大移動量を５０ｃｍと仮定し（この仮定は作動体１０の当接面の長さによって変わる）、更に、余裕分として５０ｃｍを加えたものである（この余裕分により、作動体１０の当接面がナット２に常に良好に当接することができる。）。
【００５４】
尚、作動体１０の当接面が余りに大きかったり小さかったりすると、一人での作業は困難となる為（二人で作業する場合や、装置の一部として作動させる場合は可能である。）、一人作業用とする場合には、扱い易いように、長さ１０乃至５０ｃｍ、巾５乃至３０ｃｍに設定すると良い。
【００５５】
次に、ナット２の取り付け方法について説明する。
【００５６】
先ず、ボルト１を載置部２１、即ち、二本の支持体２３ａ・２３ｂのボルト受溝２４ａ・２４ｂに夫々載置する（尚、二本の支持体２３ａ・２３ｂの距離は、予め、ボルト１の長さに応じて前記支持脚２５ａ・２５ｂの伸縮機能（調整機構）によって調整しておく。）。
【００５７】
続いて、端部揃え体３４の水平擺動操作し、該端部揃え体３４の他端部を前記乗越部３６を乗り越えせしめ、この端部揃え体３４により、前記載置部２１に載置したボルト１の端部の位置を揃える。その後、端部揃え体３４を元の位置に戻し、ボルト１の端部にナット２を螺合できるようにする。
【００５８】
続いて、挟持体２８を上下擺動操作し、前記載置部２１に載置したボルト１を該載置部２１と該挟持体２８とにより挟持して該ボルト１の回転を阻止する。尚、この挟持体２８の操作は端部揃え体３４の操作の前に行っても良い。
【００５９】
続いて、手作業等で複数本のボルト１の後端部（例えば、吊りボルトの場合では下側となる端部）にナット２を夫々螺合する。このナット２の螺合位置は、該ナット２からボルト１の後端部が少し突出する程度で良い（ある程度同一位置となるように螺合した方が良い）。尚、ナット２の螺合は、ボルト１を載置部２１に載置する前でも良い。
【００６０】
続いて、回転操作体１３の把持部１２を把持し、該回転操作体１３を操作してナット２を回転せしめる。
【００６１】
このナット２の回転は、回転操作体１３の作動体１０の当接面をナット２に当接せしめ、この状態で回転操作体１３をナット２の回転方向（ボルト１の延設方向と直交する方向）へ直線的に移動（往動）する操作を行う。作動体１０の当接面が当接せしめられているナット２は、該作動体１０の移動に伴って回転し、ボルト１に対して螺出入することになる。
【００６２】
また、回転操作体１３を直線的に移動した後、前記当接面のナット２への当接を解除し、その後に回転操作体１３を戻動（復動）し、再び該回転操作体１３の作動体１０の当接面をナット２に当接せしめ、再度、該回転操作体１３の移動操作を行い、ナット２をボルト１に対して移動（往動）せしめる。
【００６３】
この回転操作体１３の往復移動操作を繰り返すことにより、複数のボルト１にある程度螺合されていたナット２を該ボルト１の所定位置にまで螺出入せしめことができる。
【００６４】
ナット２をボルト１の後端部から前記挟持体２８よりも先端側まで移動させたい場合には、例えば、該ボルト１の向きを逆向きとして作業を行ったり、若しくは、ボルト１を後動させることでナット２を挟持体２８よりも先端側に位置せしめ、この状態で、再度端部揃え機構によりボルト１の端部位置を揃え、回転操作体１３でナット２の移動を行うと良い。
【００６５】
また、吊りボルトのように、ナット２，ハンガー４，ナット２の順序でナット２の取り付けを行う場合には、上記の作業により一個目のナット２を所定の取付位置まで移動せしめたら、ハンガー４を取り付け、続いて、二個目のナット２を螺合して取り付ける方法を採用すると良い。このようにして二個のナット２と該二個のナット２間にしてボルト１にハンガー４を取り付けた吊りボルトは、上部を天井の下地コンクリート部分５に挿入固着し、且つ、前記二個のナット２を手で螺出入してハンガー４を所望の位置に挟着する。この際、二個のナット２は、前記ナット取付装置２０によって所定位置、即ち、所望の位置に近傍に螺出入されているから、該ナット２の螺出入作業（ハンガー４の挟着作業）は容易となる。
【００６６】
本実施例は上述のようにするから、ボルト１を載置部２１に載置固定し、回転操作体１３を往復移動せしめてナット２を回転させるだけで、該ナット２をボルト１に対して良好に移動せしめて所定の位置に取り付けできる実用性，作業性に秀れたナットの取り付け方法となる。
【００６７】
また、従来の指でナット２の一つ一つを回転させるという極めて厄介な作業から、手を往復運作業という単純な作業でナット２を回転させることができ、労力が著しく低減されることになる。
【００６８】
また、複数のボルト１に対して夫々ナット２の螺合を同時に行うことができ、効率性，低コスト性は極めて良好となる。
【００６９】
また、作動体１０の当接面は、ナット２を良好に回転せしめられる大きさ（長さ，巾）に設定されているから、この点においてもナット２を良好に回転してボルト１に対して螺出入せしめることができる。
【００７０】
また、回転操作体１３の作動体１０の当接面にはゴム状の弾性部材１１が設けられているから、該当接面の摩擦抵抗が高く、該当接面が当接せしめられたナット２を良好に回転せしめることができ、この点において作業性，効率性は良好となる。
【００７１】
また、弾性部材１１の厚さは、ナット２の回転による衝撃を緩和できる厚さに設定されているから、ナット２を回転せしめる為の回転操作体１３の移動をスムーズに行え、これによりナット２の移動を良好に行える。更に、該弾性部材１１の劣化も抑制することができる。
【００７２】
また、弾性部材１１が劣化しても該弾性部材１１を取り替えできるから、回転操作体１３は、長期間、繰り返して使用することができる。
【００７３】
また、載置部２１は、ボルト受溝２４ａ・２４ｂでボルト１を支持する構成であるから、該ボルト受溝２４ａ・２４ｂに支持されたボルト１がナット２に回転によって該ナット２の回転方向に移動したりせず、よって、ナット２の移動を良好に行うことができる。
【００７４】
また、載置部２１に載置されたボルト１を該載置部２１とで挟持する挟持体２８が設けられているから、該挟持によってボルト１の回転が阻止され、ナット２が回転した際に該ナット２がボルト１に対して良好に移動することになる。
【００７５】
また、載置部２１を構成する二本の支持体２３ａ・２３ｂの距離を可変できるから、該載置部２１を様々な長さのボルト１に対応させることができ、汎用性も秀れることになる。
【００７６】
また、端部揃え機構により、ボルト１の端部位置を揃えることができるから、ナット２の移動距離や螺合取付位置を複数のボルト１において端部から略等しい距離や位置とすることができ（著しく異なる場合、作動体１０が当接できない）、よって、複数のボルト１の略同じ位置にナット２を取り付けることができる。
【００７７】
尚、ナット取付装置２０において、載置部２１へのボルト１の載置は、手動で行っても良いが、自動供給装置により行っても良い。この自動供給装置は、例えば、載置部２１の斜め上方にボルトストック部を設け、このボルトストック部にストックしておいたボルト１をガイド装置によりガイドせしめて載置部２１に供給する構成のものや、載置部２１の近傍にボルトストック部を設け、このボルトストック部からリフターを用いて載置部２１にボルト１を供給する構成等を採用すると良い。
【００７８】
また、ボルト１の位置決めの為の構成として、本実施例はボルト受溝２４ａ・２４ｂを採用したが、例えば、支持体２３ａ・２３ｂに所定間隔を置いて磁石を付設し、この磁石にボルトが磁着されるように構成しても良い。
【００７９】
また、作動体１０の当接面は、平面でなくても、中央部が膨出する円弧状膨出面や、三角形状膨出面，台形状膨出面等であっても良い。また、作動体１０をリング状とし、この作動体１０の外周面を当接面とする構成にしても良い（この場合、作動体１０を電動回転装置や足踏み式回転装置等によって回転させる構成にすると良い。）。
【００８０】
また、載置部２１は、ボルト１を水平状態で載置する構成が最もナット２の回転作業（移動操作体１３の操作）が行い易いと思われるが、例えば、ボルト１を立設状態としたり、傾斜状態とする構成のものでも良い。
【００８１】
また、複数のボルト１にナット２を夫々螺合取付する際、ボルト１として同一径で且つ雄ネジ部３が同一ピッチのものを採用し、ナット２として同一外径のものを採用した場合、複数のボルト１の略同じ位置にナット２を螺合取付することができるが、例えば、螺合取付位置に拘らないのであれば、異なる径のボルト１に異なる外径のナット２を螺合取付することもできる。
【図面の簡単な説明】
【図１】吊りボルト１の使用状態を示す説明図である。
【図２】本実施例のナット取付装置２０の全体を示す説明斜視図である。
【図３】本実施例のボルト１にナット２を取り付ける作業状態を示す説明斜視図である。
【図４】本実施例のボルト１にナット２を取り付ける作業状態を示す説明拡大側面図である。
【符号の説明】
１　ボルト
２　ナット
１０　作動体
１１　弾性部材
１２　移動操作部，把持部
１３　回転操作体
２１　載置部
２２　回転阻止部
２３ａ・２３ｂ　支持体
２４ａ・２４ｂ　ボルト受溝
【図１】
2004136425.tif 000003
【図２】
2004136425.tif 000004
【図３】
2004136425.tif 000005
【図４】
2004136425.tif 000006